(57)【特許請求の範囲】
【請求項１】
入力された複合映像信号に対し異なる方式でＹＣ分離された信号を適応的に切り替える３ライン相関検出装置において、現在ラインの信号を入力とし、色信号帯域を出力する第一の帯域制限装置と、現在ラインを１または２水平期間遅延させた信号を入力とし、色信号帯域を出力する第二の帯域制限装置と、現在ラインを２または４水平期間遅延させた信号を入力とし、色信号帯域を出力する第三の帯域制限装置と、前記第一の帯域制限装置の出力と前記第二の帯域制限装置の出力を入力とし、その和を出力する第一の加算装置と、前記第二の帯域制限装置の出力と前記第三の帯域制限装置の出力を入力とし、その和を出力する第二の加算装置と、前記第一の加算装置の出力を入力としその絶対値を出力する第一の絶対値出力装置と、前記第二の加算装置の出力を入力としその絶対値を出力する第二の絶対値出力装置と、前記第一および第二の絶対値出力装置の出力を入力とし、その最大値を出力する最大値検出装置と、前記第一および第二の絶対値出力装置の出力を入力とし、その最小値を出力する最小値検出装置と、現在ラインの信号および現在ラインを１または２水平期間遅延させた信号および現在ラインを２または４水平期間遅延させた信号を入力とし、そのライン間のレベル差を検出し、ある設定された基準値と比較しその結果を出力する相関レベル検出装置と、前記最大値検出装置および最小値検出装置の出力を入力とし、前記相関レベル検出装置の出力信号にてその出力を切り替える切替装置と、前記第一の加算装置の出力信号の符号および前記第二の加算装置の出力信号の符号を入力とし、その排他的論理和の反転を出力するイクスクルーシブ・ノア装置と、前記イクスクルーシブ・ノア装置の出力および前記相関レベル検出装置の出力信号を入力としその論理和を出力するオア装置と、前記切替装置の出力を入力とし、前記オア装置の出力が論理“１”のときその入力信号を出力し、論理“０”のとき基準値を出力するアンド装置と、前記アンド装置の出力信号を入力とし、ある設定された自然数ｎ個の互いに異なる値を持つ基準値と比較し、基準値より大であれば論理“１”を、基準値より小であれば論理“０”をｎ個の基準値に対してｎビットの信号を出力するｎ個の比較装置と、前記複合映像信号から垂直相関色信号と、水平相関色信号と、前記垂直相関色信号と前記水平相関色信号との中間値を生成する信号生成装置と、前記ｎ個の比較装置の出力信号と、前記垂直相関色信号と、前記水平相関色信号と、前記中間値とを入力とし、前記複合映像信号の相関レベルに応じて、前記垂直相関色信号と、前記水平相関色信号と、前記中間値の中から、いずれかの信号を選択する切替回路とを備えたことを特徴とする３ライン相関検出装置。
【請求項２】
さらに、現在ラインの信号を入力とし、信号低域成分を出力する第一の低域通過装置と、現在ラインを１または２水平期間遅延させた信号を入力とし、信号低域成分を出力する第二の低域通過装置と、現在ラインを２または４水平期間遅延させた信号を入力とし、信号低域成分を出力する第三の低域通過装置と、前記第一の低域通過装置の出力と前記第二の低域通過装置の出力を入力とし、その差分を出力する第一の減算装置と、前記第二の低域通過装置の出力と前記第三の低域通過装置の出力を入力とし、その差分を出力する第二の減算装置と、前記第一の減算装置の出力を入力としその絶対値を出力する第一の絶対値出力装置と、前記第二の減算装置の出力を入力としその絶対値を出力する第二の絶対値出力装置と、前記第一および第二の絶対値出力装置の出力を入力とし、その最大値を出力する最大値検出装置と、前記第一および第二の絶対値出力装置の出力を入力とし、その最小値を出力する最小値検出装置と、現在ラインの信号および現在ラインを１または２水平期間遅延させた信号および現在ラインを２または４水平期間遅延させた信号を入力とし、そのライン間のレベル差を検出し、ある設定された基準値と比較しその結果を出力する相関レベル検出装置と、前記最大値検出装置および最小値検出装置の出力を入力とし、前記相関レベル検出装置の出力信号にてその出力を切り替える切替装置と、前記第一の減算装置の出力信号の符号および前記第二の減算装置の出力信号の符号を入力とし、その排他的論理和の反転を出力するイクスクルーシブ・ノア装置と、前記イクスクルーシブ・ノア装置の出力および前記相関レベル検出装置の出力信号を入力としその論理和を出力するオア装置と、前記切替装置の出力を入力とし、前記オア装置の出力が論理“１”のときその入力信号を出力し、論理“０”のとき基準値を出力するアンド装置と、前記アンド装置の出力信号を入力とし、ある設定された自然数ｎ個の互いに異なる値を持つ基準値と比較し、基準値より大であれば論理“１”を、基準値より小であれば論理“０”をｎ個の基準値に対してｎビットの信号を出力するｎ個の第２の比較装置と、前記ｎ個の比較装置と第２の比較装置の出力信号を入力として論理和の値を出力するロジック処理装置とを備え、前記切替回路は、前記ロジック処理装置の出力信号と、前記垂直相関色信号と、前記水平相関色信号と、前記中間値とを入力とし、前記複合映像信号の相関レベルに応じて前記垂直相関色信号と、前記水平相関色信号と、前記中間値の中から、いずれかの信号を選択することを特徴とする請求項１記載の３ライン相関検出装置。
【請求項３】
請求項１に記載の相関レベル検出装置は、現在ラインの信号を入力とし、色信号帯域を出力する第一の帯域制限装置と、現在ラインを１または２水平期間遅延させた信号を入力とし、色信号帯域を出力する第二の帯域制限装置と、現在ラインを２または４水平期間遅延させた信号を入力とし、色信号帯域を出力する第三の帯域制限装置と、前記第一の帯域制限装置の出力と前記第二の帯域制限装置の出力を入力とし、その和を出力する第一の加算装置と、前記第二の帯域制限装置の出力と前記第三の帯域制限装置の出力を入力とし、その和を出力する第二の加算装置と、前記第一の加算装置の出力を入力としその絶対値を出力する第一の絶対値出力装置と、前記第二の加算装置の出力を入力としその絶対値を出力する第二の絶対値出力装置と、前記第一および第二の絶対値出力装置の出力を入力とし、その最小値を出力する最小値検出装置と、前記最小値検出装置の出力信号を入力し、ある設定された基準値と比較し基準値より小であれば論理“１”を、基準値より大であれば論理“０”を出力する比較装置とを備え、前記比較装置の出力を相関レベル検出装置の出力として、前記切替装置および前記オア装置に出力することを特徴とする請求項１に記載の３ライン相関検出装置。
【発明の詳細な説明】
【０００１】
【発明の属する技術分野】
本発明は、テレビジョン複合映像信号のライン相関を用いたＹＣ分離において、精度の高いＹ信号を得ることができる３ライン相関検出装置に関するものである。
【０００２】
【従来の技術】
近年、３ライン相関検出装置は、フレームメモリを使った３次元ＹＣ分離装置を搭載しないコスト重視のテレビジョン受信機等において、精度の高いＹＣ分離を行うための要素として重要視されている。
【０００３】
以下、図面を参照しながら、上述した従来の３ライン相関検出装置の一例について説明を行う。
【０００４】
図10は、特開平８−６５７０６号公報で提案されている３ライン相関検出装置およびそれを用いたＹＣ分離全体のブロック構成図を示すものである。図１１のブロック構成図において入力複合映像信号をバンドパス・フィルタＢＰＦ25，49、ローパス・フィルタＬＰＦ41及び遅延回路21に供給する。遅延回路21で１水平期間遅延した遅延信号（Ｓ）をバンドパス・フィルタＢＰＦ27，51、及びローパス・フィルタＬＰＦ43に供給する。
【０００５】
上記遅延信号（Ｓ）を更に遅延回路23に供給し、１水平期間遅延する。この遅延信号をバンドパス・フィルタＢＰＦ29，53及びローパス・フィルタＬＰＦ45に供給する。バンドパス・フィルタＢＰＦ25，27，29で各ラインの色副搬送波帯域を取り出す。ここでは、これらの信号をそれぞれＨ０，Ｈ１，Ｈ２と呼ぶ。以下、Ｈ１＝（＝ｂ）を現データとして取り扱う。Ｈ１に色副搬送波位相を合わせるため、Ｈ０並びにＨ２をそれぞれインバータ路35並びに37により位相を反転し、それぞれａ，ｃとする。
【０００６】
また加算器31並びに33を用いてｄ＝（ａ＋ｂ）／２，ｅ＝（ｂ＋ｃ）／２を取り出す。これらａ，ｂ，ｃ，ｄ，ｅを５タップメディアン・フィルタ39に入力し、ａ，ｂ，ｃ，ｄ，ｅの中で３番目に信号レベルが大きいものを選択し色信号（Ｃ）として出力する。ローパス・フィルタＬＰＦ41，43，45で複合映像信号の水平低域成分（輝度信号）を取り出す。それぞれをＡ，Ｂ，Ｃとする。信号Ａ，Ｂ，Ｃを垂直インパルス検出部47に供給し、後述の処理を行う。バンドパス・フィルタＢＰＦ49，51，53で各ラインの複合映像信号の水平高域成分（色副搬送波帯域）を取り出す。
【０００７】
ここでは、これらの信号をそれぞれＨ３，Ｈ４（＝Ｅ），Ｈ５と呼ぶ。Ｈ４に色副搬送波位相を合わせるため、Ｈ３並びにＨ５をそれぞれインバータ回路55並びに57で位相を反転し、それぞれＤ，Ｆとする。信号Ｄ，Ｅ，Ｆを垂直インパルス検出器59に供給し、後述の処理を行う。垂直インパルス検出器47並びに59の出力信号はそれぞれ論理和回路61に入力される。
【０００８】
この論理和回路61の出力で選択器63を制御し、５タップメディアン・フィルタ39の出力（Ｃ）か、バンドパス・フィルタＢＰＦ27の出力（Ｈ１）かを選択する。減算器65により、この選択した色信号（ＣＣ）を、遅延回路21で１水平期間遅延した遅延信号（Ｓ）から減算し最終輝度信号（Ｙ）を得る。垂直インパルス検出器47，59は下記数式を満たすか否かを検出すればよく回路構成を限定するものではない。
【０００９】
（水平低域垂直インパルス検出器）
（数１）
Ｂ−Ａ＞ＲＥＦ、Ｂ−Ｃ＞ＲＥＦ                      （１）
（数２）
Ａ−Ｂ＞ＲＥＦ、Ｃ−Ｂ＞ＲＥＦ                      （２）
（水平高域垂直インパルス検出器）
（数３）
Ｅ−Ｄ＞ＲＥＦ、Ｅ−Ｆ＞ＲＥＦ                      （３）
（数４）
Ｄ−Ｅ＞ＲＥＦ、Ｆ−Ｅ＞ＲＥＦ                      （４）
上記条件（１），（２），（３），（４）のいずれかを満たした時、選択器63を制御してバンドパス・フィルタＢＰＦ27の出力（Ｈ１）を色信号（ＣＣ）とする。
【００１０】
上記条件（１），（２），（３），（４）のいずれも満たさない時は、メディアン・フィルタ39の出力（Ｃ）を色信号（ＣＣ）とする。ここでＲＥＦは、あらかじれ設定されたレベルであり、通常は信号レベル100 ＩＲＥに対して、数10ＩＲＥ程度の値である。ここで、図１２に垂直インパルス検出器47の回路構成の具体例を示す。
【００１１】
入力信号Ａ，Ｂ，Ｃは、図１１中のＡ，Ｂ，Ｃ信号であり、入力複合映像信号の水平低域成分である。これらＡ，Ｂ，ＣからＢ−Ａを減算器71で、Ｂ−Ｃを減算器73で実現する。この２つの差分信号の絶対値を絶対値回路ＡＢＳ75，77でとる。そして、比較器79，81であらかじめ定めた比較レベル値ＲＥＦと比較し、前述の条件を満たすか否かを判別するため、比較器79，81の出力の論理積を論理積回路83でとる。
【００１２】
また、これだけでは充分でないので、前記差分信号Ｂ−ＡとＢ−Ｃとの符号が一致している場合をイクスクルーシブ・ノア回路85でとり、イクスクルーシブ・ノア回路85の出力と論理積回路83の出力の論理積を論理積回路87でとって検出出力とする。図１１の垂直インパルス検出回路59も図１２に示した回路構成と同じものを用いることができる。
【００１３】
【発明が解決しようとする課題】
しかしながら上記のような構成では、次のような問題点を有している。確かに図５のようなパターンにおいてＹ信号出力はコムフィルタ（５タップメディアンフィルタ）出力を用いた場合（点線）に比べて改善されており、色信号が輝度信号にクロストークするいわゆるドット妨害はなくなっている。しかし、図１１のＣＣをＢＰＦ出力にすると改善されるコムフィルタの不具合として、縦つながりノイズが挙げられるが、その改善が非常に困難である。
【００１４】
図６を用いて縦つながりノイズについて説明する。ラインコムフィルタにおいて垂直方向に並んだノイズに対しては垂直相関があると判断しＹ信号出力にそのまま出力されるが、斜め方向のノイズ（垂直方向に相関のないノイズ）に対してはＹ信号出力には１／２のレベルで出力される。これは言い換えると垂直方向に相関のない斜め方向のノイズに対してはノイズ低減効果があるが、垂直に相関のある縦方向のノイズに対してはノイズ低減効果がないということであり、結果として縦方向のノイズのみが残り、縦ノイズが目立つようになり、映像の質が低下する。
【００１５】
この縦つながりノイズについてはＲＥＦの値をかなり小さく設定しなければノイズ成分で装置がＯＮせず、その改善効果はない。また、そのような設定を施すと図７に示すような斜め線のパターンでインパルス検出器が働き、Ｙ信号出力がほぼなくなってしまい、斜めの解像度が大きく劣化する。色信号に比してＹ信号の振幅は通常大であることが多いのでＲＥＦの設定はかなり大きくしておかなければならない。この２つの改善はこの従来システムでは不可能である。
【００１６】
【課題を解決するための手段】
上記問題点を解決するために本発明の３ライン相関検出装置は、現在ラインの信号を入力とし、色信号帯域を出力する第一の帯域制限装置と、現在ラインを１または２水平期間遅延させた信号を入力とし、色信号帯域を出力する第二の帯域制限装置と、現在ラインを２または４水平期間遅延させた信号を入力とし、色信号帯域を出力する第三の帯域制限装置と、前記第一の帯域制限装置の出力と前記第二の帯域制限装置の出力を入力とし、その和を出力する第一の加算装置と、前記第二の帯域制限装置の出力と前記第三の帯域制限装置の出力を入力とし、その和を出力する第二の加算装置と、前記第一の加算装置の出力を入力としその絶対値を出力する第一の絶対値出力装置と、前記第二の加算装置の出力を入力としその絶対値を出力する第二の絶対値出力装置と、前記第一および第二の絶対値出力装置の出力を入力とし、その最大値を出力する最大値検出装置と、前記第一および第二の絶対値出力装置の出力を入力とし、
その最小値を出力する最小値検出装置と、現在ラインの信号および現在ラインを１または２水平期間遅延させた信号および現在ラインを２または４水平期間遅延させた信号を入力とし、そのライン間のレベル差を検出し、ある設定された基準値と比較しその結果を出力する相関レベル検出装置と、前記最大値検出装置および最小値検出装置の出力を入力とし、前記相関レベル検出装置の出力信号にてその出力を切り替える切替装置と、前記第一の加算装置の出力信号の符号および前記第二の加算装置の出力信号の符号を入力とし、その排他的論理和の反転を出力するイクスクルーシブ・ノア装置と、前記イクスクルーシブ・ノア装置の出力および前記相関レベル検出装置の出力信号を入力としその論理和を出力するオア装置と、前記切替装置の出力を入力とし、前記オア装置の出力が論理“１”のときその入力信号を出力し、論理“０”のとき基準値を出力するアンド装置と、前記アンド装置の出力信号を入力とし、ある設定された自然数ｎ個の互いに異なる値を持つ基準値と比較し、基準値より大であれば論理“１”を、基準値より小であれば論理“０”をｎ個の基準値に対してｎビットの信号を出力するｎ個の比較装置という構成を備えたものである。
【００１７】
また、本発明の３ライン相関検出装置は、現在ラインの信号を入力とし、信号低域成分を出力する第一の低域通過装置と、現在ラインを１または２水平期間遅延させた信号を入力とし、信号低域成分を出力する第二の低域通過装置と、現在ラインを２または４水平期間遅延させた信号を入力とし、信号低域成分を出力する第三の低域通過装置と、前記第一の低域通過装置の出力と前記第二の低域通過装置の出力を入力とし、その差分を出力する第一の減算装置と、前記第二の低域通過装置の出力と前記第三の低域通過装置の出力を入力とし、その差分を出力する第二の減算装置と、
前記第一の減算装置の出力を入力としその絶対値を出力する第一の絶対値出力装置と、前記第二の減算装置の出力を入力としその絶対値を出力する第二の絶対値出力装置と、前記第一および第二の絶対値出力装置の出力を入力とし、その最大値を出力する最大値検出装置と、前記第一および第二の絶対値出力装置の出力を入力とし、その最小値を出力する最小値検出装置と、現在ラインの信号および現在ラインを１または２水平期間遅延させた信号および現在ラインを２または４水平期間遅延させた信号を入力とし、そのライン間のレベル差を検出し、ある設定された基準値と比較しその結果を出力する相関レベル検出装置と、
前記最大値検出装置および最小値検出装置の出力を入力とし、前記相関レベル検出装置の出力信号にてその出力を切り替える切替装置と、前記第一の減算装置の出力信号の符号および前記第二の減算装置の出力信号の符号を入力とし、その排他的論理和の反転を出力するイクスクルーシブ・ノア装置と、前記イクスクルーシブ・ノア装置の出力および前記相関レベル検出装置の出力信号を入力としその論理和を出力するオア装置と、前記切替装置の出力を入力とし、前記オア装置の出力が論理“１”のときその入力信号を出力し、論理“０”のとき基準値を出力するアンド装置と、
前記アンド装置の出力信号を入力とし、ある設定された自然数ｎ個の互いに異なる値を持つ基準値と比較し、基準値より大であれば論理“１”を、基準値より小であれば論理“０”をｎ個の基準値に対してｎビットの信号を出力するｎ個の比較装置と、第一の３ライン相関検出装置の出力信号および前記比較装置の出力信号を入力とし、適宜演算処理をして出力するロジック処理装置という構成を備えたものである。
【００１８】
【発明の実施の形態】
本発明の第１の発明は現在ラインの信号を入力とし、色信号帯域を出力する第一の帯域制限装置と、現在ラインを１または２水平期間遅延させた信号を入力とし、色信号帯域を出力する第二の帯域制限装置と、現在ラインを２または４水平期間遅延させた信号を入力とし、色信号帯域を出力する第三の帯域制限装置と、前記第一の帯域制限装置の出力と前記第二の帯域制限装置の出力を入力とし、その和を出力する第一の加算装置と、  前記第二の帯域制限装置の出力と前記第三の帯域制限装置の出力を入力とし、その和を出力する第二の加算装置と、前記第一の加算装置の出力を入力としその絶対値を出力する第一の絶対値出力装置と、前記第二の加算装置の出力を入力としその絶対値を出力する第二の絶対値出力装置と、前記第一および第二の絶対値出力装置の出力を入力とし、その最大値を出力する最大値検出装置と、前記第一および第二の絶対値出力装置の出力を入力とし、その最小値を出力する最小値検出装置と、現在ラインの信号および現在ラインを１または２水平期間遅延させた信号および現在ラインを２または４水平期間遅延させた信号を入力とし、そのライン間のレベル差を検出し、ある設定された基準値と比較しその結果を出力する相関レベル検出装置と、前記最大値検出装置および最小値検出装置の出力を入力とし、前記相関レベル検出装置の出力信号にてその出力を切り替える切替装置と、前記第一の加算装置の出力信号の符号および前記第二の加算装置の出力信号の符号を入力とし、その排他的論理和の反転を出力するイクスクルーシブ・ノア装置と、前記イクスクルーシブ・ノア装置の出力および前記相関レベル検出装置の出力信号を入力としその論理和を出力するオア装置と、前記切替装置の出力を入力とし、前記オア装置の出力が論理“１”のときその入力信号を出力し、論理“０”のとき基準値を出力するアンド装置と、前記アンド装置の出力信号を入力とし、ある設定された自然数ｎ個の互いに異なる値を持つ基準値と比較し、基準値より大であれば論理“１”を、基準値より小であれば論理“０”をｎ個の基準値に対してｎビットの信号を出力するｎ個の比較装置と、信号の相関レベルに応じて誤動作の少ない最適な方式のＹＣ分離信号が選択できる切替信号を得ることが出来る。
【００１９】
本発明の第２の発明は、請求項１に記載の３ライン相関検出装置と、現在ラインの信号を入力とし、信号低域成分を出力する第一の低域通過装置と、現在ラインを１または２水平期間遅延させた信号を入力とし、信号低域成分を出力する第二の低域通過装置と、現在ラインを２または４水平期間遅延させた信号を入力とし、信号低域成分を出力する第三の低域通過装置と、前記第一の低域通過装置の出力と前記第二の低域通過装置の出力を入力とし、その差分を出力する第一の減算装置と、  前記第二の低域通過装置の出力と前記第三の低域通過装置の出力を入力とし、その差分を出力する第二の減算装置と、前記第一の減算装置の出力を入力としその絶対値を出力する第一の絶対値出力装置と、前記第二の減算装置の出力を入力としその絶対値を出力する第二の絶対値出力装置と、前記第一および第二の絶対値出力装置の出力を入力とし、その最大値を出力する最大値検出装置と、前記第一および第二の絶対値出力装置の出力を入力とし、その最小値を出力する最小値検出装置と、現在ラインの信号および現在ラインを１または２水平期間遅延させた信号および現在ラインを２または４水平期間遅延させた信号を入力とし、そのライン間のレベル差を検出し、ある設定された基準値と比較しその結果を出力する相関レベル検出装置と、前記最大値検出装置および最小値検出装置の出力を入力とし、前記相関レベル検出装置の出力信号にてその出力を切り替える切替装置と、前記第一の減算装置の出力信号の符号および前記第二の減算装置の出力信号の符号を入力とし、その排他的論理和の反転を出力するイクスクルーシブ・ノア装置と、前記イクスクルーシブ・ノア装置の出力および前記相関レベル検出装置の出力信号を入力としその論理和を出力するオア装置と、前記切替装置の出力を入力とし、前記オア装置の出力が論理“１”のときその入力信号を出力し、論理“０”のとき基準値を出力するアンド装置と、前記アンド装置の出力信号を入力とし、ある設定された自然数ｎ個の互いに異なる値を持つ基準値と比較し、基準値より大であれば論理“１”を、基準値より小であれば論理“０”をｎ個の基準値に対してｎビットの信号を出力するｎ個の比較装置と、前記３ライン相関検出装置の出力信号および前記比較装置の出力信号を入力とし、適宜演算処理をして出力するロジック処理装置とを備え、信号の相関レベルに応じて誤動作の少ない最適な方式のＹＣ分離信号が選択できる切替信号を出力することができる。
【００２０】
本発明の第３の発明は、現在ラインの信号を入力とし、色信号帯域を出力する第一の帯域制限装置と、現在ラインを１または２水平期間遅延させた信号を入力とし、色信号帯域を出力する第二の帯域制限装置と、現在ラインを２または４水平期間遅延させた信号を入力とし、色信号帯域を出力する第三の帯域制限装置と、前記第一の帯域制限装置の出力と前記第二の帯域制限装置の出力を入力とし、その和を出力する第一の加算装置と、前記第二の帯域制限装置の出力と前記第三の帯域制限装置の出力を入力とし、その和を出力する第二の加算装置と、前記第一の加算装置の出力を入力としその絶対値を出力する第一の絶対値出力装置と、前記第二の加算装置の出力を入力としその絶対値を出力する第二の絶対値出力装置と、前記第一および第二の絶対値出力装置の出力を入力とし、その最小値を出力する最小値検出装置と、前記最小値検出装置の出力信号を入力し、ある設定された基準値と比較し基準値より小であれば論理“１”を、基準値より大であれば論理“０”を出力する比較装置とを備え、信号の相関レベルに応じて誤動作の少ない最適な方式のＹＣ分離信号が選択できる切替信号を出力することができる。
【００２１】
本発明の第４の発明は、請求項２に記載の３ライン相関検出装置において、相関レベル検出装置の入力を現在ラインの信号、現在ラインを１または２水平期間遅延させた信号および現在ラインを２または４水平期間遅延させた信号の代りに最小値検出装置の出力とし、相関レベル検出装置を第三の比較装置とし、ある設定された基準値と比較し基準値より小であれば論理“１”を、基準値より大であれば論理“０”を出力する前記比較装置を備え、信号の相関レベルに応じて誤動作の少ない最適な方式のＹＣ分離信号が選択できる切替信号を出力することができる。

【００２２】
以下本発明の実施の形態について、図面を参照しながら説明する。
【００２３】
（実施の形態１）
図１は本発明の請求項１の実施例における３ライン相関検出装置のブロック構成図を示すものである。このように構成された３ライン相関検出装置について、以下図１及び図８を用いてその動作を説明する。
【００２４】
図８においては、自然数ｎが２であるときの具体例である。現在ライン信号を０Ｈ、１または２水平期間遅延させた信号を１Ｈ、２または４水平期間遅延させた信号を２Ｈとすると入力端子１０１，１０２，１０３からそれぞれ０Ｈ遅延信号１０Ａ、１Ｈ遅延信号１０Ｂ、２Ｈ遅延信号１０Ｃが入力される。入力された信号は帯域制限装置（以下、ＢＰＦと称す）１２０、１２１、１２２に入力され，色副搬送波帯域近傍の色信号１ＡＡ、１ＡＢ、１ＡＣを得る。色信号は１（ＰＡＬは２）Ｈ水平期間毎に反転しているので差分はこれらを加算することにより得られる。
【００２５】
これらの信号を加算装置１２３，１２４に入力し、０Ｈと１Ｈの色差分信号１ＡＤ、１Ｈと２Ｈの色差分信号１ＡＥを得る。この信号を絶対値出力装置（以下、ＡＢＳと称す）１２５、１２６に入力し、相関差の絶対値を得る。この信号が大であればその間には相関がないと判断できる。得られた二つの相関差信号の最大値および最小値を最大値検出装置（以下、ＭＡＸと称す）１２７および最小値検出装置（以下、ＭＩＮと称す）１２８により求め、ＭＡＸ信号１ＡＪ、ＭＩＮ信号１ＡＫを得る。また、差分信号１ＡＤの符号と１ＡＥの符号をイクスクルーシブ・オア装置１３４に入力し、入力信号がインパルス状態であるかどうかの出力信号１ＡＬを得る。
【００２６】
また、０Ｈ、１Ｈ、２Ｈ信号を相関レベル検出装置１３０に入力し、入力信号レベルが大であるときはより相関の強い差分信号を出力し、誤動作を少なくするため、切替装置１２９にてＭＩＮを出力するよう出力信号１ＡＯに論理“０”を出力する。入力信号レベルが小であるときは縦つながりノイズに対し、より有利になるよう１２９の切替装置の出力がＭＡＸとなり、さらに１３４の出力信号と論理和装置１３６で論理和をとり、イクスクルーシブ・オア装置１３４の判別を無効にし、インパルス状態でないときにも動作するよう論理“１”を出力する。
論理積装置１３１で出力信号１ＡＰを得、比較装置１３２および１３３にて異なる基準値ＲＥＦＣ１、ＲＥＦＣ２にて比較されその結果を１ＡＱおよび１ＡＲとして出力する。３ラインコムフィルタ１３７により垂直相関色信号１０Ｔを得、ＢＰＦ１３８にて水平相関色信号１０Ｕを得る。
【００２７】
また、加算装置１３９と１／２アンプ１４０により垂直と水平の中間色信号１０Ｖを得、それぞれ切替装置１４１に入力される。ＲＥＦＣ１＞ＲＥＦＣ２に設定し、相関が少ないとき１ＡＰが大であるのでそれがＲＥＦＣ１を超えれば切替信号１ＡＱが論理“１”、１ＡＲが論理“１”となり切替装置１４１で１０Ｕが選択されドット妨害および縦つながりノイズに有効なＹ信号を得る。また、ＲＥＦ１Ｃより小さく、ＲＥＦＣ２より大であれば１ＡＱは“０”、１ＡＲは“１”となり１４１にて中間値１０Ｖが選択されドット、縦つながりノイズが半減するようなＹ信号を得る。また、ＲＥＦＣ２より小さくなれば相関が強くコム色信号を出力しても問題ないので１４１にて１０Ｔが選択されコムＹ信号を得る。
【００２８】
以上のように本実施例によれば、色信号の差分信号を検出し、そのレベルと信号の大きさを相関レベル検出により検出した結果で色信号出力を制御する切り替え装置を設けることにより、ドット妨害を改善し縦つながりノイズも低減することができる。
【００２９】
（実施の形態２）
図２は本発明の請求項２の実施例における３ライン相関検出装置のブロック構成図を示すものである。このように構成された３ライン相関検出装置について、以下図２及び図８を用いてその動作を説明する。
【００３０】
図９においては、自然数ｎが２であり、ロジック処理装置として、２組の論理和装置を例としている。図において、Ｃ信号垂直相関検出装置１３８の枠で囲まれた部分については実施の形態１と同様であるので省略する。
【００３１】
入力端子から入力された信号はまた低域通過装置（以下、ＬＰＦと称す）１０４、１０５、１０６に入力され，色信号帯域を除去された輝度信号１０Ｄ、１０Ｅ、１０Ｆを得る。これらの信号を減算装置１０７，１０８に入力し、０Ｈと１Ｈの輝度差分信号１０Ｇ、１Ｈと２Ｈの色差分信号１０Ｈを得る。この信号をＡＢＳ１０９、１１０に入力し、相関差の絶対値を得る。この信号が大であればその間には相関がないと判断できる。得られた二つの相関差信号の最大値および最小値をＭＡＸ１１１、ＭＩＮ１１２により求め、ＭＡＸ信号１０Ｍ、ＭＩＮ信号１０Ｎを得る。また、差分信号１０Ｇの符号と１０Ｈの符号をイクスクルーシブ・オア装置１１６に入力し、入力信号がインパルス状態であるかどうかの出力信号１０Ｏを得る。
【００３２】
また、相関レベル検出装置１３０より、入力信号レベルが大であるときは振幅の大きい斜め信号が誤動作しないよう、切替装置１１３にてＭＩＮを出力するよう出力信号１ＡＯに論理“０”を出力する。入力信号レベルが小であるときは縦つながりノイズに対し、より有利になるよう１１３の切替装置の出力がＭＡＸとなり、さらに１１６の出力信号と論理和装置１１７で論理和をとり、イクスクルーシブ・オア装置１１６の判別を無効にし、インパルス状態でないときにも動作するよう論理“１”を出力する。
【００３３】
論理積装置１１８で出力信号１０Ｑを得、比較装置１１４および１１５にて異なる基準値ＲＥＦ１、ＲＥＦ２にて比較されその結果を１０Ｒおよび１０Ｓとして出力する。ＲＥＦ１＞ＲＥＦ２およびＲＥＦＣ１＞ＲＥＦＣ２に設定し、Ｙ信号またはＣ信号に相関が少ないとき１０Ｑまたは１ＡＰが大であるのでそれがＲＥＦ１およびＲＥＦＣ１を超えれば切替信号１ＡＳが論理“１”、当然１ＡＴも論理“１”となり切替装置１４１で１０Ｕが選択されドット妨害および縦つながりノイズに有効なＹ信号を得る。
【００３４】
また、１０ＱがＲＥＦ１より小さく、ＲＥＦ２より大かつ１ＡＰがＲＥＦＣ１より小さく、ＲＥＦＣ２より大であれば１ＡＳは“０”、１０Ｓは“１”となり１４１にて中間値１０Ｖが選択されドット、縦つながりノイズが半減するようなＹ信号を得る。また、１０ＱがＲＥＦ２より小さく、かつ１ＡＰがＲＥＦＣ２より小さくなれば相関が強くコム色信号を出力しても問題ないので１４１にて１０Ｔが選択されコムＹ信号を得る。
【００３５】
以上のように本実施例によれば、Ｙ信号の低域差分信号を検出し、またＣ信号の差分信号を検出しそのレベルと信号の大きさを相関レベル検出により検出した結果で色信号出力を制御する切り替え装置を設けることにより、斜め線等で誤動作を起こさずドット妨害を改善し縦つながりノイズも低減することができる。
【００３６】
（実施の形態３）
図３は本発明の請求項３の相関レベル検出装置の構成図を示すものである。
【００３７】
相関レベル検出装置の動作を図３において説明する。入力端子２０１、２０２、２０３よりそれぞれ０Ｈ遅延信号２０Ａ、１Ｈ遅延信号２０２、２Ｈ遅延信号２０３が入力される。ＢＰＦ２０４、２０５、２０６により帯域制限されたあと加算装置２０７、２０８によりライン間の色信号レベル差分２０Ｇ、２０Ｈが出力される。差分信号をＡＢＳ２０９、２１０で絶対値化し、０Ｈ、１Ｈ間の相関レベル信号２０Ｉ及び１Ｈ、２Ｈ間の相関レベル信号２０Ｊを得る。ここで入力信号が垂直方向に続く縦線や斜め線のようなＹ信号の高周波であれば、ライン間の加算を行っているので非常に大きな値が検出されている。
【００３８】
この２つの相関レベル信号のうち、ＭＩＮ出力を選択するのは、３ライン以上続く縦線や斜め線でのみこの装置を動作させるためである。このＭＩＮ２１１の出力信号２０Ｋを比較装置２１２にてある設定値ＲＥＦＣＬと比較を行い２０ＫがＲＥＦＣＬより大であれば論理“１”を出力する。この制御信号２０Ｌは図９の１ＡＯと等価であり、実施の形態２に記載の相関検出装置を制御することにより、斜め線等で誤動作を起こさずドット妨害を改善し縦つながりノイズも低減することができる。
【００３９】
（実施の形態４）
図４は本発明の請求項４の実施例における３ライン相関検出装置のブロック構成図を示すものである。このように構成された３ライン相関検出装置について、以下図２、図３及び図１０を用いてその動作を説明する。
【００４０】
図１０のＢＰＦ１２０、１２１，１２２と図３の２０４，２０５，２０６、図１０の加算装置１２３，１２４と図３の２０７，２０８、図１０のＡＢＳ１２５，１２６と図３の２０９，２１０および図１０のＭＩＮ１２８と図３の２１１、図１０の２１２と図３の２１２を対応させると、図９の上述した装置で図３の相関レベル検出装置が実現できている。よって、図９の動作は図２の相関レベル検出装置に図３の装置を挿入したもの、実施の形態２とまったく等価である。単に挿入するよりはるかに少ない回路規模で動作を実現させている。
【００４１】
【発明の効果】
以上のように本発明はＹ信号の相関レベル検出装置および比較装置に出力する信号を前記相関レベル検出装置により切り替える切り替え装置を設けることにより、斜め線等で誤動作を起こさずドット妨害を改善し縦つながりノイズも低減することができる。
【図面の簡単な説明】
【図１】本発明の第１の実施例における３ライン相関検出装置のブロック構成図
【図２】本発明の第２の実施例における３ライン相関検出装置のブロック構成図
【図３】本発明の第３の実施例における３ライン相関検出装置のブロック構成図
【図４】本発明の第４の実施例における３ライン相関検出装置のブロック構成図
【図５】ドット妨害発生パターンの説明図
【図６】縦つながりノイズの説明図
【図７】斜め線パターンの誤動作説明図
【図８】本発明の第１の実施例における３ライン相関検出装置の具体的回路構成図
【図９】本発明の第２の実施例における３ライン相関検出装置の具体的回路構成図
【図１０】本発明の第３の実施例における３ライン相関検出装置の具体的回路構成図
【図１１】従来の３ライン相関検出装置の具体的回路構成図
【図１２】従来の３ライン相関検出装置のブロック構成図
【符号の説明】
１０１、１０２，１０３、２０１，２０２，２０３  入力端子
１０４，１０５，１０６、４１，４３，４５  ＬＰＦ
１０７、１０８、６５、７１、７３  減算装置
１０９，１１０、１２５，１２６、２０９，２１０、７５、７７  ＡＢＳ
１１１、１２７  ＭＡＸ
１１２、１２８、２１１  ＭＩＮ
１１３、１２９、６３  切り替え装置
１１４、１１５、１３２、１３３、２１２、７９，８１  比較装置
１１６、１３４、８５  イクスクルーシブ・ノア装置
１１７、１３６、６１  論理和装置
１１８、１３１、８３、８７  論理積装置
１２０，１２１，１２２、２０４、２０５、２０６、２５、２７，２９、４９．  ５１，５３  ＢＰＦ
１２３、１２４、２０７、２０８、３１，３３  加算装置
１３０  相関レベル検出装置
１３５  ロジック演算処理装置
１３７  Ｙ低域垂直相関検出装置
１３８  Ｃ信号垂直相関検出装置
２１、２３  遅延装置
３５、３７、５５、５７  反転装置
３９  ５タップメディアンフィルタ
４７、５９  垂直インパルス検出装置
【図１】
0004576677.tif 000002
【図２】
0004576677.tif 000003
【図３】
0004576677.tif 000004
【図４】
0004576677.tif 000005
【図５】
0004576677.tif 000006
【図６】
0004576677.tif 000007
【図７】
0004576677.tif 000008
【図８】
0004576677.tif 000009
【図９】
0004576677.tif 000010
【図１０】
0004576677.tif 000011
【図１１】
0004576677.tif 000012
【図１２】
0004576677.tif 000013